(57)【要約】【課題】  便座への着座や離座時の動作がしやすく、用便の使用性がよく、男子小用時の飛沫水の飛散低減でき、便器下の床面の清掃を容易にすることができるとともに、便器傾斜時の便器内の封水が便器外に溢れることが防止でき、一定の封水深を保つことができる昇降式水洗便器を提供する。【解決手段】  便器（１）を昇降させる昇降装置（２）を便器（１）後方下部に配置し、便器（１）背面に固設した便器接続板（４）を挟持するように便器接続板（４）両側にガイドレール（３）を配置し、昇降装置（２）およびガイドレール（３）を覆うカバーを備えた昇降式水洗便器（Ａ）であって、ガイドレール（３）は上部が前方に曲成した湾曲部（３１）を有し、昇降装置（２）によって便器接続板（４）がガイドレール（３）に沿って摺動し便器（１）が昇降することを特徴とする昇降式水洗便器（Ａ)とする。【選択図】図１
2005273277.tif 000002
【特許請求の範囲】
【請求項１】
便器を昇降させる昇降装置を便器後方下部に配置し、便器背面に固設した便器接続板を挟持するように便器接続板両側にガイドレールを配置し、昇降装置およびガイドレールを覆うカバーを備えた昇降式水洗便器であって、ガイドレールは上部が前方に曲成した湾曲部を有し、昇降装置によって便器接続板がガイドレールに沿って摺動し便器が昇降することを特徴とする昇降式水洗便器。
【請求項２】
給水部と制御部と水位センサが備えられ、ボウルから延びる排水トラップに封水の水位を検知する水位センサを配設し、便器が後上がりに傾斜した時の封水深低下に伴う水位変化を水位センサで検知し、給水部から給水が行われて封水が確保されるように制御部で制御されていることを特徴とする請求項１に記載の昇降式水洗便器。
【請求項３】
給水部と制御部と角度センサを備えた可動トラップ式の水洗便器であって、便器が後上がりに傾斜するに伴い、便器傾斜角度を角度センサで検知して可動トラップを予め設定した角度に可動させて、封水深が一定に保たれるように制御部で制御されていることを特徴とする請求項１に記載の昇降式水洗便器。
【請求項４】
給水部から給水が行われて、封水深が一定に保たれるように制御部で制御されていることを特徴とする請求項３に記載の昇降式水洗便器。
【発明の詳細な説明】
【技術分野】
【０００１】
この出願の発明は、昇降式水洗便器に関するものである。さらに詳しくは、この出願の発明は、ガイドレールと昇降装置を有する昇降式水洗便器に関するものである。
【背景技術】
【０００２】
近年、快適な生活への要求が高まり、特に高齢者、身体障害者等が移動しやすく、安全で、快適に暮らせるように配慮した設計・設備の住宅が望まれている。特に、生活の中で頻繁に利用するトイレは、身体の向きを変えたり、座ったり、立ち上がったりと身体への負担がかかりやすい場所である。このため、これまで身体への負担を軽減した様々なトイレが提案されている。たとえば、便器を昇降させる機構を有する昇降便器として、固定スタンドと固定スタンドに対して昇降自在な便器（特許文献１）や、昇降駆動装置を台座部に配設した便器（特許文献２）や、傾斜させる傾斜機構をも有する多機能便器（特許文献３）が報告されている。
【０００３】
しかしながら、上記特許文献１,２によれば、高齢者等が屈曲した姿勢をとる必要がなく、男子小用に対しても、飛沫水の飛散低減にはある程度の効果があるものの、便器が水平状態で昇降するものであるため、便座への着座や離座時の動作補助、用便の使用性としては十分なものではなかった。また、特許文献２によれば、昇降させる装置が便器に近接しているため、衣類の着脱による埃やペーパー屑、飛散水など清掃が困難であった。特許文献３によれば、便器が後上がりの状態と水平な状態ではトラップ部の封水深が大きく変化するため、便器の排水性能が大きく変化して排水不良を生じたり、トラップに接続する排水管内の圧力変動により封水が保たれない場合に臭気の逆流や衛生害虫の侵入を生じる可能性があった。
【特許文献１】特開平１０−１９５９６２号公報
【特許文献２】特開２００３−２６８８５０号公報
【特許文献３】特開平１１−２５６６６１号公報
【発明の開示】
【発明が解決しようとする課題】
【０００４】
この出願の発明は、以上の通りの背景から、便座への着座や離座時の動作がしやすく、用便の使用性がよく、男子小用時の飛沫水の飛散低減ができ、便器下の床面の清掃を容易にすることができるとともに、便器傾斜時の便器内の封水が便器外に溢れることが防止でき、一定の封水深を保つことができる昇降式水洗便器を提供することを課題としている。
【課題を解決するための手段】
【０００５】
この出願の発明は、上記の課題を解決するものとして、第１には、便器を昇降させる昇降装置を便器後方下部に配置し、便器背面に固設した便器接続板を挟持するように便器接続板両側にガイドレールを配置し、昇降装置およびガイドレールを覆うカバーを備えた昇降式水洗便器であって、ガイドレールは上部が前方に曲成した湾曲部を有し、昇降装置装置によって便器接続板がガイドレールに沿って摺動し便器が昇降することを特徴とする昇降式水洗便器を提供する。
【０００６】
第２には、給水部と制御部と水位センサが備えられ、ボウルから延びる排水トラップに封水の水位を検知する水位センサを配設し、便器が後上がりに傾斜した時の封水深低下に伴う水位変化を水位センサで検知し、給水部から給水が行われて封水が確保されるように制御部で制御されていることを特徴とする昇降式水洗便器を提供する。
【０００７】
第３には、給水部と制御部と角度センサを備えた可動トラップ式の水洗便器であって、便器が後上がりに傾斜するに伴い、便器傾斜角度を角度センサで検知して可動トラップを予め設定した角度に可動させて、封水深が一定に保たれるように制御部で制御されていることを特徴とする昇降式水洗便器を提供する。
【０００８】
第４には、上記の昇降式便器において、給水部から給水が行われて、封水深が一定に保たれるように制御部で制御されていることを特徴とする昇降式水洗便器を提供する。
【発明の効果】
【０００９】
この出願の第１の発明によれば、便座着座や離座時の動作がしやすく、用便の使用性がよく、男子小用時の飛沫水の飛散低減ができ、便器下の床面の清掃を容易にすることができる。
【００１０】
第２の発明によれば、上記第１の発明の効果とともに、便器が傾斜して封水深が変動しても、封水を常に維持することが可能となり、排水トラップに接続した排水管からの臭気の逆流や衛生害虫の侵入を防止することができる。
【００１１】
第３の発明によれば、上記第１の発明の効果とともに、可動トラップを変動させることで、封水深を一定に保ち、封水が便器から溢れ出ることを防ぐことができる。
【００１２】
第４の発明によれば、上記第３の発明の効果とともに、封水切れを防ぐことができる。
【発明を実施するための最良の形態】
【００１３】
この出願の発明は、上記のとおりの特徴をもつものであるが、以下、さらに詳しく発明の実施の形態について説明する。
【００１４】
図１は、この出願の発明の昇降式水洗便器の一実施形態を例示した分解斜視図である。この図１に沿って説明すると、便器（１）を昇降させる昇降装置（２）は便器（１）後方下部に配置され、上部が前方に曲成した湾曲部（３１）を有するガイドレール（３）は便器（１）背面に固設した便器接続板（４）を挟持するように便器接続板（４）両側に配置される。この昇降装置（２）およびガイドレール（３）はカバーで覆われており、便器接続板（４）は昇降装置（２）によってガイドレール（３）に沿って自在に摺動し便器（１）が昇降する。
【００１５】
昇降装置（２）としては、たとえばジャッキが例示されるが、便器（１）を昇降させる機構を備えているものであればこれに限定されることはない。便器接続板（４）は、たとえば、便器（１）に設けられた便器取付穴（５）に、便器取付ボルト（６）を挿入、締着することによって便器（１）背面部に固設される。便器接続板（４）には、排水口接続部（７）が設けられ、ボウル（８）内の汚水や封水（Ｂ）（後述する図２、図３参照）を排出するための排水口（９）と、排水管（１０）に通じる可とう管（１１）が接続される。これによって、ボウル（８）内の封水（Ｂ）は、排水口接続部（７）から可とう管（１１）を通じて排水管（１０）へ排出される。
【００１６】
便器接続板（４）両側に配置されたガイドレール（３）は、対向する内面側にレール溝が形成されており、便器接続板（４）は、このガイドレール（３）のレール溝に沿って摺動することになる。ガイドレール（３）は、上部が前方に曲成した湾曲部（３１）を有しているため、便器接続板（４）の上昇に伴いガイドレール（３）の湾曲部（３１）に沿って、便器接続板（４）が傾斜する。これにより、便器接続板（４）に固設された便器（１）が後上がりに傾斜することになる。便器（１）は、昇降装置（２）によって任意の高さに調節することができ、さらに後上がりに傾斜するため、便座への着座や離座時の動作がしやすく、用便の使用性が向上するばかりか、男子小用時の飛沫水の飛散を低減することが可能となる。
【００１７】
昇降装置（２）およびガイドレール（３）は、たとえば化粧キャビネット（１２）、天板（１３）、台輪（１４）などのカバーで覆われる。これによって、美観が損なわれることがなくなるばかりか、便器（１）の昇降装置（２）やガイドレール（３）に衣類の着脱による埃やペーパー屑が直接付着することがなくなり、清掃が容易となる。
【００１８】
また、上記の昇降式水洗便器（Ａ）は、便器（１）背面に固設された便器接続板（４）がガイドレール（３）に装着され昇降装置（２）によって支持されていることで、便器（１）下部に台座を設けることなく便器（１）が保持されているものである。このため、便器（１）下部と床との間にはスペースができることになり、たとえば、床上に男子小用時の飛沫水が飛散した時や、埃、ペーパー屑などを清掃する場合には、便器（１）と床との間で、清掃用具の取りまわしがしやすくなるため清掃性が向上する。便器（１）を上昇させることで、さらにスペースを確保することができ、より清掃性が向上する。これによって、臭気の発生がない衛生的なトイレ環境を保つことができる。
【００１９】
また、上記の昇降式水洗便器（Ａ）において、便器（１）上昇時の傾斜に伴い封水深が変化するため、図２に示すように水位センサ（１５）と給水部（１６）と制御部（１７）を設けて、封水深の変化を水位センサ（１５）で検知し、給水部（１６）から給水が行われ封水（Ｂ）が確保されるように制御部（１７）で制御されるようにしてもよい。すなわち、図２は、この水位センサ（１５）を設けた昇降式水洗便器（Ａ)の一実施形態を例示した断面図である。
【００２０】
水位センサ（１５）は、封水（Ｂ）の水位を検知するためのセンサで、排水トラップ（１８）内に配設される。水位センサ（１５）の取付位置は封水（Ｂ）の水位を検知することができれば、この位置に限定されることはない。
【００２１】
制御部（１７）は、水位センサ（１５）で検知した水位の変化を監視し、給水部（１６）からボウル（８）内に給水して、封水（Ｂ）の水位を調節するためのものであるが、その配置は特に限定されることなく適宜設定できる。便器（１）が上昇に伴い後上がりに傾斜すると、封水深が低下し封水（Ｂ）切れや所定の封水深を確保できなくなる。封水深の低下は、封水（Ｂ）の水位によって水位センサ（１５）で検知される。その変化を制御部（１７）で監視し、所定の封水深になるまで給水されるように制御が行われる。こうして、常に封水（Ｂ）が確保されていることになり、排水管からの臭気の逆流や衛生害虫の侵入を防止することができるようになる。
【００２２】
また、図３に示すような可動トラップ（１９）式の水洗便器においては、角度センサ（２０）と給水部（１６）と制御部（１７）を設けて、便器（１）が後上がりに傾斜した時には、便器（１）の傾斜角度を角度センサ（２０）で検知して可動トラップ（１９）を予め設定した角度に可動させて、封水深が一定に保たれるようにしてもよい。また、給水部（１６）から給水して封水（Ｂ）が行われるように制御部（１７）で制御されるようにしてもよい。すなわち、図３は、この可動トラップ（１９）式の水洗便器に、角度センサ（２０）を設けた昇降式水洗便器（Ａ）の一実施形態を例示した断面図である。
【００２３】
角度センサ（２０）は、可動トラップ（１９）式の水洗便器（１）の傾斜角度を検知するもので、図３の場合では制御部（１７）内に内蔵されている。角度センサ（２０）の取付位置は便器（１）の傾斜角度を検知することができれば、特にこの位置に限定されることはない。
【００２４】
制御部（１７）では、角度センサ（２０）で検知した便器（１）の傾斜角度から、予め設定した角度に可動トラップ（１９）を可動させて、封水深が一定に保たれるように制御する。便器（１）の傾斜角度が、所定の封水深まで封水（Ｂ）を確保できない時には、制御部（１７）により給水部（１６）から給水を行うように制御してもよい。なお、制御部（１７）の配置は特に限定されることなく適宜設定できる。
【００２５】
上記の装置においては、封水深を一定に保つことができ、封水（Ｂ）が便器（１）から溢れ出たり、封水（Ｂ）切れを防止することができ、汚水排出性能を維持することができる。
【００２６】
この出願の発明は以上の例に限定されるものではなく、細部については様々な態様が可能であることは言うまでもない。
【図面の簡単な説明】
【００２７】
【図１】この発明の昇降式水洗便器の一実施形態を示した分解斜視図である。
【図２】この発明の昇降式水洗便器の作動状態を例示した断面図である。
【図３】この発明の別の昇降式水洗便器の作動状態を例示した断面図である。
【符号の説明】
【００２８】
Ａ  昇降式水洗便器
Ｂ  封水
１  便器
２  昇降装置
３  ガイドレール
３１  湾曲部
４  便器接続板
５  便器取付穴
６  便器取付ボルト
７  排水口接続部
８  ボウル
９  排水口
１０  排水管
１１  可とう管
１２  化粧キャビネット
１３  天板
１４  台輪
１５  水位センサ
１６  給水部
１７  制御部
１８  排水トラップ
１９  可動トラップ
２０  角度センサ
【図１】
2005273277.tif 000003
【図２】
2005273277.tif 000004
【図３】
2005273277.tif 000005